(57)【特許請求の範囲】
【請求項１】
ユーザの第１の眼でのみ見ることを意図された立体表示コンテンツの画像の全体が表示されるディスプレイ装置の状態を検出するステップと、
前記状態の前記検出に応じて前記ディスプレイ装置のバックライトをアクティブにするステップと、
を含み、
前記状態は、前記ユーザの第２の眼でのみ見ることを意図された前の画像の表示から前記ユーザの前記第１の眼でのみ見ることを意図された前記画像の前記表示までの前記ディスプレイ装置の移行完了、及び、前記ディスプレイ装置の走査ラインへ前記ユーザの第２の眼でのみ見ることを意図された次の画像の描画の開始を含み、
前記移行完了は、前記ディスプレイ装置の最終走査ラインが前記画像の関連部分を表示するように更新されるのに応じて検出され、前記開始は、前記次の画像の上書きが開始されたことに応じて検出され、
前記バックライトは、前記移行完了の検出に応じて、かつ所定の遅延の後にアクティブにされ、前記開始の検出に応じて非アクティブにされる、
方法。
【請求項２】
前記ディスプレイ装置が液晶ディスプレイ（ＬＣＤ）を含む、請求項１に記載の方法。
【請求項３】
前記バックライトが非アクティブ位置からアクティブにされる、請求項１に記載の方法。
【請求項４】
前記ユーザの前記第１の眼でのみ見ることを意図された前記画像の前記全体の前記表示の間、前記バックライトのアクティブ化を維持するステップをさらに含む、請求項１に記載の方法。
【請求項５】
前記バックライトが、前記状態の検出の後の所定の長さの時間、アクティブにされる、請求項１に記載の方法。
【請求項６】
前記バックライトが、前記開始の前記検出の後の所定の長さの時間、非アクティブにされる、請求項１に記載の方法。
【請求項７】
前記ユーザが、前記ディスプレイ装置上で前記ユーザの前記第１の眼でのみ見ることを意図された前記画像と前記ユーザの第２の眼でのみ見ることを意図された前記次の画像との組み合わせを見ないように、前記バックライトが前記開始の前記検出に応じて非アクティブにされる、請求項１に記載の方法。
【請求項８】
立体メガネの第１の眼シャッタ及び第２の眼シャッタを制御するステップをさらに含む、請求項１に記載の方法。
【請求項９】
前記ユーザの前記第１の眼でのみ見ることを意図された前記画像の前記全体の前記表示の間、前記第１の眼シャッタが開位置にあり、前記ユーザの前記第１の眼でのみ見ることを意図された前記画像の前記全体の前記表示の間、前記第２の眼シャッタが閉位置にあるように、前記立体メガネの前記第１の眼シャッタ及び前記第２の眼シャッタが制御される、請求項８に記載の方法。
【請求項１０】
前記ユーザの第２の眼でのみ見ることを意図された画像の全体の表示の間、前記第１の眼シャッタが閉位置にあり、前記ユーザの前記第２の眼でのみ見ることを意図された前記画像の前記全体の前記表示の間、前記第２の眼シャッタが開位置にあるように、前記立体メガネの前記第１の眼シャッタ及び前記第２の眼シャッタが制御される、請求項８に記載の方法。
【請求項１１】
前記ユーザの前記第１の眼でのみ見ることを意図された前記画像の前記表示から前記ユーザの第２の眼でのみ見ることを意図された次の画像の表示までの前記ディスプレイ装置の移行の少なくとも一部の間、前記第１の眼シャッタ及び前記第２の眼シャッタが同時に開位置にあるように、前記立体メガネの前記第１の眼シャッタ及び前記第２の眼シャッタが制御される、請求項８に記載の方法。
【請求項１２】
前記ユーザの前記第１の眼でのみ見ることを意図された前記画像の前記表示から前記ユーザの第２の眼でのみ見ることを意図された次の画像の表示までの前記ディスプレイ装置の移行の少なくとも一部の間、前記第１の眼シャッタ及び前記第２の眼シャッタが同時に閉位置にあるように、前記立体メガネの前記第１の眼シャッタ及び前記第２の眼シャッタが制御される、請求項１０に記載の方法。
【請求項１３】
前記立体メガネの前記第１の眼シャッタ及び前記第２の眼シャッタが前記立体メガネの第１の状態と前記立体メガネの第２の状態との間でのみ制御され、前記第１の状態は、前記第１の眼シャッタが閉位置にあり、前記第２の眼シャッタが開位置にあることを含み、前記第２の状態は、前記第１の眼シャッタが前記開位置にあり、前記第２の眼シャッタが前記閉位置にあることを含む、請求項８に記載の方法。
【請求項１４】
ユーザの第１の眼でのみ見ることを意図された立体表示コンテンツの画像の全体が表示されるディスプレイ装置の状態を検出するためのコンピュータコードと、
前記状態の前記検出に応じて前記ディスプレイ装置のバックライトをアクティブにするためのコンピュータコードと
を備え、
前記状態は、前記ユーザの第２の眼でのみ見ることを意図された前の画像の表示から前記ユーザの前記第１の眼でのみ見ることを意図された前記画像の前記表示までの前記ディスプレイ装置の移行完了、及び、前記ディスプレイ装置の走査ラインへ前記ユーザの第２の眼でのみ見ることを意図された次の画像の描画の開始を含み、
前記移行完了は、前記ディスプレイ装置の最終走査ラインが前記画像の関連部分を表示するように更新されるのに応じて検出され、前記開始は、前記次の画像の上書きが開始されたことに応じて検出され、
前記バックライトは、前記移行完了の検出に応じて、かつ所定の遅延の後にアクティブにされ、前記開始の検出に応じて非アクティブにされる、
コンピュータ可読媒体上で具体化されたコンピュータプログラム。
【請求項１５】
ユーザの第１の眼でのみ見ることを意図された立体表示コンテンツの画像を表示するためのディスプレイ装置と、
前記ユーザの前記第１の眼で見ることを意図された前記画像の全体が表示される前記ディスプレイ装置の状態の検出に応じて前記ディスプレイ装置のバックライトをアクティブにするための制御装置と
を備え、
前記状態は、前記ユーザの第２の眼でのみ見ることを意図された前の画像の表示から前記ユーザの前記第１の眼でのみ見ることを意図された前記画像の前記表示までの前記ディスプレイ装置の移行完了、及び、前記ディスプレイ装置の走査ラインへ前記ユーザの第２の眼でのみ見ることを意図された次の画像の描画の開始を含み、
前記移行完了は、前記ディスプレイ装置の最終走査ラインが前記画像の関連部分を表示するように更新されるのに応じて検出され、前記開始は、前記次の画像の上書きが開始されたことに応じて検出され、
前記バックライトは、前記移行完了の検出に応じて、かつ所定の遅延の後にアクティブにされ、前記開始の検出に応じて非アクティブにされる、
装置。
【請求項１６】
プロセッサがバスを介してメモリと通信状態にとどまる、請求項１５に記載の装置。
【発明の詳細な説明】
【発明の分野】
【０００１】
[0001]本発明は、ビデオディスプレイに関し、特に、立体シャッタメガネを利用して立体のビデオ画像及びグラフィックス画像を見ることに関する。
【背景】
【０００２】
[0002]平面視及び立体視の兼用のためには、様々なディスプレイ装置が装備される。平面視と異なり、立体視の場合は、人間の右眼用と左眼用とで別々のコンテンツを表示する必要がある。具体的には、そのような立体視では、人間の左眼と右眼に対して、別々の画像を表示する必要がある。ある特定のタイプの立体視（具体的には、時間順次立体）では、そのような左画像及び右画像が交互に表示される。
【０００３】
[0003]適正な立体視体験を保証するために、適切なタイミングで左画像が左眼で見えるようにし、右画像が右眼で見えるようにする交互式シャッタメガネも一般的に使用されている。
【０００４】
[0004]過去には、時間順次立体視が、ＣＲＴ及び同類のディスプレイ（たとえば、高フレームレート（ＤＬＰ）プロジェクタなど）で良好に動作した。しかしながら、時間順次立体視は、液晶ディスプレイ（ＬＣＤ）については（平面パネルであれ、プロジェクタ式であれ）有望視されなかった。その理由として様々な問題があった。たとえば、ＬＣＤ環境では、画素の応答時間が遅いため、右視界に左画像の（かつ、左視界に右画像の）「ゴースト」が引き起こされる。さらにまた、残念なことに、ＬＣＤ更新過程の性質の結果として、左画像及び右画像を、わずかの時間しか完全に表示することができない。これについて、以下で詳細に説明する。
【０００５】
[0005]図１Ａは、ＬＣＤを利用して立体視を試みた場合に存在するであろう、仮定的な欠点を示す。この仮定例に示されるように、ＬＣＤは、ケーブル１０（デジタルビデオインターフェース（ＤＶＩ）ケーブルやビデオグラフィックスアレイ（ＶＧＡ）ケーブルなど）を介して、画素を、ラスタスキャン順序（すなわち、左から右、上から下へ１ラインずつ、など）で受信する。まず、左眼で見ることを意図された、第１の左画像Ｌ１が、ケーブル１０を介して送信される。この後、垂直帰線消去期間ＶＢＩと呼ばれる、送信の一時休止がある。次に、右眼で見ることを意図された、第１の右画像Ｒ１が送信され、以降も同様に繰り返される。
【０００６】
[0006]ＣＲＴ及び他の同類のディスプレイと異なり、ＬＣＤ画素は、個々に容量性記憶素子を有し、その働きで、各画素は、その色及び輝度を、ＬＣＤドライバ関連の電子回路によって更新されるまで保持する（この電子回路は、各画素をラスタ順序でアドレス指定する）。したがって、時刻Ｔ１で、第１の右画像Ｒ１の一部が送信された際に、ＬＣＤ画面から発せられる実際の画像は、第１の左画像Ｌ１の「まだ上書きされていない」下部部分と、第１の右画像Ｒ１の、新しく書き込まれた部分とを含む。その後、時刻Ｔ２では、そして実際には、時刻Ｔ２から始まる垂直帰線消去期間ＶＢＩの全体において、表示は、第１の右画像Ｒ１のみを含む。時刻Ｔ３では、図示されているように、第１の右画像Ｒ１は、第２の左画像Ｌ２によって、部分的に上書きされている。このために、時刻Ｔ１及びＴ３における表示コンテンツが左眼又は右眼に対して表示された場合、その眼は、残念なことに、その眼に対して意図されたものではないコンテンツを（少なくとも部分的に）見ることになる。
【０００７】
[0007]前述のように、立体視では、それぞれの眼がしかるべき画像を見ることを保証するために、右眼シャッタ及び左眼シャッタが装備された立体メガネを用いることが多い。図示されたように、この仮定例では、第１の左画像Ｌ１が表示された後に、左眼シャッタ制御２０が、左シャッタを開位置（ｏｐｅｎ  ｏｒｉｅｎｔａｔｉｏｎ）へ切り替える（この間に、右シャッタが閉位置（ｃｌｏｓｅｄ  ｏｒｉｅｎｔａｔｉｏｎ）で維持される）。同様に、第１の右画像Ｒ１が表示された後に、右眼シャッタ制御３０が、右シャッタを開位置へ切り替える（この時点で、左シャッタが閉位置にトグルされ、閉位置で維持される）。
【０００８】
[0008]更に、残念なことに、各眼は、その眼で見ることを意図されたものではないコンテンツを、関連付けられたシャッタが開位置にある継続時間のかなりの部分にわたって（少なくとも部分的に）見ることになり、結果としての立体視は受け入れがたいものになる。したがって、先行技術に関連するこれらの問題及び／又は他の問題を克服する必要がある。
【概要】
【０００９】
[0009]立体コンテンツを表示するディスプレイ装置のバックライトをアクティブにするためのシステム、方法、及びコンピュータプログラム製品が提供される。使用時には、ユーザの第１の眼でのみ見ることを意図された立体表示コンテンツの画像の全体が表示されるディスプレイ装置の状態が識別される。その後、その状態の検出に応じてディスプレイ装置のバックライトがアクティブにされる。
【図面の簡単な説明】
【００１０】
【図１Ａ】[0010]液晶ディスプレイ（ＬＣＤ）を利用して立体視を試みた場合に存在するであろう、仮定的な欠点を示す図である。
【図１Ｂ】[0011]様々なアーキテクチャ及び／又は機能性の様々な実施形態を実装することが可能な例示的なコンピュータシステムを示す図である。
【図２】[0012]一実施形態による、立体コンテンツを表示するディスプレイ装置のバックライトをアクティブにするための例示的なタイミングを示す図である。
【図３】[0013]別の実施形態による、立体メガネを利用して見ることができる表示コンテンツを表示する間にディスプレイ装置のバックライトを制御する方法を示す図である。
【図４】[0014]別の実施形態による、表示コンテンツを表示する間に立体メガネを制御する方法を示す図である。
【詳細説明】
【００１１】
[0015]図１Ｂは、各種アーキテクチャ及び／又は機能性の様々な実施形態を実装することが可能な例示的なコンピュータシステム１００を示す。図示されるように、通信バス１０２に接続された少なくとも１つのホストプロセッサ１０１を含むコンピュータシステム１００が設けられている。コンピュータシステム１００はさらに、メインメモリ１０４を含む。ランダムアクセスメモリ（ＲＡＭ）の形態であってよいメインメモリ１０４には、制御ロジック（ソフトウェア）及びデータが格納されている。
【００１２】
[0016]コンピュータシステム１００はさらに、グラフィックスプロセッサ１０６を含み、ディスプレイ１０８を、液晶ディスプレイ（ＬＣＤ）、デジタルライトプロセッシング（ＤＬＰ）ディスプレイ、反射型液晶（ＬＣＯＳ（Ｌｉｑｕｉｄ  Ｃｒｙｓｔａｌ  ｏｎ  Ｓｉｌｉｃｏｎ））ディスプレイ、プラズマディスプレイ、又は他の同様のディスプレイの形態で含む。一実施形態では、グラフィックスプロセッサ１０６は、複数のシェーダモジュール、ラスタ化モジュールなどを含んでよい。上述の各モジュールを単一半導体プラットフォーム上に配置してグラフィックス処理ユニット（ＧＰＵ）を形成することも可能である。
【００１３】
[0017]本明細書では、単一半導体プラットフォームは、単独の単体構造の半導体をベースとする集積回路又はチップを意味するとしてよい。ただし、単一半導体プラットフォームという用語は、オンチップ動作をシミュレートし、従来型の中央処理ユニット（ＣＰＵ）及びバスの実装を利用する場合より大幅に改善された、強化された接続性を有するマルチチップモジュールを意味する場合もある。もちろん、各種モジュールは、別々に配置されることも可能であり、ユーザの要求に応じて半導体プラットフォームの様々な組み合わせのかたちで配置されることも可能である。
【００１４】
[0018]コンピュータシステム１００は、二次ストレージ１１０を含むことも可能である。二次ストレージ１１０は、たとえば、ハードディスクドライブ及び／又は（フロッピーディスクドライブ、磁気テープドライブ、コンパクトディスクドライブなどを表す）リムーバブルストレージドライブを含む。リムーバブルストレージドライブは、よく知られた方法で、リムーバブルストレージユニットの読み出し及び／又は書き込みを行う。
【００１５】
[0019]メインメモリ１０４及び／又は二次ストレージ１１０には、コンピュータプログラム（又はコンピュータ制御ロジックアルゴリズム）を格納することが可能である。そのようなコンピュータプログラムは、実行されると、コンピュータシステム１００が様々な機能を実行することを可能にする。メモリ１０４、ストレージ１１０、及び／又は他の任意のストレージは、コンピュータ可読媒体の可能な例である。
【００１６】
[0020]さらに、ユーザの顔に装着されることが可能な立体メガネ１１１が含まれる。立体メガネ１１１は、ユーザの顔の上で立体メガネ１１１を支持するための２本の細長い部材を含むように図示されているが、他の構造（たとえば、部材のないデザイン、ヘッドストラップ、ヘルメットなど）であっても、同様の、又は他の任意のタイプの支持が可能であることに留意されたい。さらに図示されるように、立体メガネ１１１はさらに、右眼シャッタ１１４及び左眼シャッタ１１３を含む。
【００１７】
[0021]右眼シャッタ１１４及び左眼シャッタ１１３は、両方とも、開位置及び閉位置の両方が可能である。使用時には、開位置は、閉位置に比べて、より多くの光が通過することを可能にする。もちろん、それらのような位置は、上述の機能性を実施することが可能な、任意の所望の機械的、電気的、光学的、及び／又は他の任意のメカニズムによって達成可能である。
【００１８】
[0022]立体メガネ１１１は、制御のために、ケーブル１１８を介して、立体制御装置１１９に接続されることが可能である（無線環境の場合はケーブル１１８は不要）。一方、立体制御装置１１９は、以下で説明される機能性を実施するために、グラフィックスプロセッサ１０６とディスプレイ１０８との間に接続される。立体制御装置１１９は、グラフィックスプロセッサ１０６とディスプレイ１０８との間に存在するように示されているが、立体制御装置１１９は、コンピュータシステム１００及び立体メガネ１１１に関連付けられた任意の場所、及び／又は別のモジュール（具体的には（必ずしもそうでなくてもよいが）、グラフィックスプロセッサ１０６がコンピュータシステム１００の別のインターフェース（たとえば、ユニバーサルシリアルバス（ＵＳＢ）など）に接続されている実施形態）に存在することも可能であることに留意されたい。一実施形態では、ディスプレイ１０８は、コンピュータシステム１００に直接接続されてよく、立体制御装置１１９は、ＵＳＢインターフェースを介してコンピュータシステム１００に直接接続されてもよい。さらにまた、立体制御装置１１９は、所望の機能性を提供することが可能な任意のハードウェア及び／又はソフトウェアを備えてよい。
【００１９】
[0023]いくつかの実施形態では、右眼シャッタ１１４及び左眼シャッタ１１３は、閉位置と開位置とを切り替えるように制御されることが可能である。そのような制御の様々な例は、２０１０年５月２５日に発行された米国特許第７，７２４，２１１号及び２００６年８月４日に出願された米国特許出願第１１／４６２，５３５号にさらに詳細に説明されており、それらは共に参照によりそれらの全体が本明細書に組み込まれる。
【００２０】
[0024]他の実施形態では、ディスプレイ１０８のバックライトはアクティブ位置と非アクティブ位置とを切り替えるように制御され、それによって、バックライトはアクティブ位置では電源投入され、非アクティブ位置では電源遮断されることが可能である。特に、以下で説明するように、ディスプレイ１０８のバックライトは、ユーザの第１の眼でのみ見ることを意図された立体表示コンテンツの画像の全体が表示されるディスプレイ１０８の状態を検出するのに応じてアクティブにされることが可能である。特に、すぐに明らかになるように、そのような技法はディスプレイ１０８の電力消費量を低減するとともに立体メガネ１１１の機能性をオプションとして簡単化することが可能である。
【００２１】
[0025]以下では、各種のオプションのアーキテクチャ及び特徴に関して、より説明的な情報を示す。前述の機能性は、ユーザの要求に応じて、これらのアーキテクチャ及び特徴とともに実装されても、されなくてもよい。以下の情報は、例示を目的として示されるものであって、いかなるかたちでも限定として解釈されてはならないことに強く留意されたい。以下の特徴のいずれもが、オプションとして組み込まれることが可能であり、他の特徴の排除が記載されていても、されていなくてもよい。
【００２２】
[0026]図２は、一実施形態による、立体コンテンツを表示するディスプレイ装置のバックライトをアクティブにするための例示的なタイミング２００を示す。オプションとして、このタイミング２００は、図１Ｂのコンピュータシステム１００のコンテキストで実装されることが可能である。しかしながら、もちろん、タイミング２００は、任意の所望の環境で用いられることが可能である。さらにまた、上記の定義は、以下の説明において適用される。
【００２３】
[0027]図示されるように、ディスプレイ（たとえば、図１のディスプレイ１０８など）は、当該の件に関し、デジタルビデオインターフェース（ＤＶＩ）ケーブル若しくはビデオグラフィックスアレイ（ＶＧＡ）ケーブル、又は表示コンテンツの伝達が可能な任意の他の媒体などの通信媒体２０１を介して立体表示コンテンツを受信する。本明細書のコンテキストでは、そのような立体表示コンテンツは、立体視のために表示されることが可能な任意の処理段階における画素関連情報、画像（複数可）、及び／又は他の任意のコンテンツ若しくはその成分を含むことが可能である。図２では、最初に、左眼でのみ見ることを意図された、第１の左画像Ｌ１が通信媒体２０１を介して送信される様子が示されている。その後、送信の一時休止、すなわち垂直帰線消去期間ＶＢＩがある。次に、右眼でのみ見ることを意図された、第１の右画像Ｒ１が送信され、以降も同様に繰り返される。図示されるように、第１の垂直帰線消去期間セット２０２は、第２の垂直帰線消去期間セット２０４と交互に発生し、これらは両方とも、右眼コンテンツ又は左眼コンテンツがコンテンツソースから受信される時間帯の合間に発生する。
【００２４】
[0028]さらに図示されるように、ディスプレイのバックライトはアクティブ位置と非アクティブ位置とを切り替えるように制御される。一実施形態では、これはバックライトを制御するためのバックライト制御信号２０６を利用して達成可能である。
【００２５】
[0029]具体的には、バックライトは、ユーザの第１の眼でのみ見ることを意図された立体表示コンテンツの画像の全体が表示されるディスプレイの状態を検出するのに応じてアクティブにされる。図示されるように、バックライトは、第１の左画像Ｌ１の全体を受信するのに応じてバックライトがアクティブにされる（たとえば、非アクティブ位置から）ように制御されることが可能である。したがって、バックライトは、第１の左画像Ｌ１の全体が受信されており、それに応じてディスプレイによって表示されているディスプレイの状態を検出するのに応じてアクティブにされることが可能である。
【００２６】
[0030]その後、バックライトは、少なくとも第１の垂直帰線消去期間セット２０２の継続時間の間はアクティブにとどまることが可能であり、これは第１の左画像Ｌ１の全体を受信した後のことである。たとえば、バックライトは、少なくとも第１の左画像Ｌ１の全体の表示の間はアクティブにとどまることが可能である。第１の垂直帰線消去期間セット２０２の完了に際して、バックライトは、バックライトが非アクティブにされる（たとえば、上述のアクティブ位置から）ように再度制御されることが可能である。
【００２７】
[0031]同様に、バックライトは、第１の右画像Ｒ１の全体を受信するのに応じてバックライトがアクティブにされる（たとえば、非アクティブ位置から）ように制御されることが可能である。このようにして、バックライトは、第１の右画像Ｒ１の全体が受信されており、それに応じてディスプレイによって表示されているディスプレイの状態を検出するのに応じてアクティブにされることが可能である。
【００２８】
[0032]その後、バックライトは、少なくとも第２の垂直帰線消去期間セット２０４の継続時間の間はアクティブにとどまることが可能であり、これは第１の右画像Ｒ１の全体を受信した後のことである。たとえば、バックライトは、少なくとも第１の右画像Ｒ１の全体の表示の間はアクティブにとどまることが可能である。第２の垂直帰線消去期間セット２０４の完了に際して、バックライトは、バックライトが非アクティブにされる（たとえば、上述のアクティブ位置から）ように再度制御されることが可能である。
【００２９】
[0033]さらに図示されるように、厳密にはオプションとして、ディスプレイは、第１の左画像Ｌ１／第１の右画像Ｒ１の全体が表示のために受信された状態にあることを検出した後、バックライトは第１の所定の長さの時間を上述のようにアクティブにされることが可能である。さらに、図示されるように、厳密には別のオプションとして、第１の垂直帰線消去期間セット２０２／第２の垂直帰線消去期間セット２０４の継続時間の後、バックライトは第２の所定の長さの時間を上述のようにアクティブにとどまることが可能である。第１の所定の長さの時間及び第２の所定の長さの時間は長さが同じであることも異なることも可能であることに留意されたい。
【００３０】
[0034]そのような第１の所定の長さの時間はバックライトのアクティブ化の前に遅延を準備することを可能にし、それにより、ディスプレイは第１の左画像Ｌ１／第１の右画像Ｒ１の受信とそれの実際の表示との間で移行することが可能になる。同様に、第２の所定の長さの時間はバックライトの非アクティブ化の前に遅延を準備することを可能にし、それにより、バックライトは、表示のための後続の画像の受信とそれの表示の実際の開始との間の移行の間、アクティブにとどまることが可能である。このようにして、バックライトは、第１の垂直帰線消去期間セット２０２／第２の垂直帰線消去期間セット２０４の開始の後に始まり、第１の垂直帰線消去期間セット２０２／第２の垂直帰線消去期間セット２０４の終了の後に終わる時間帯２０９の間、アクティブにとどまることが可能である。
【００３１】
[0035]このために、バックライトは、オプションとして、ディスプレイがユーザの単一の眼で見ることを意図された単一の画像だけを表示している場合にのみアクティブにされることが可能である。左眼画像及び右眼画像の組み合わせが表示されているとき（たとえば、第１の左画像Ｌ１が第１の右画像Ｒ１によって部分的に上書きされているときなど）バックライトを非アクティブにすることによって、ユーザは、装着されている立体メガネ１１１の位置には無関係に左眼画像及び右眼画像の組み合わせを見られないようにされることが可能である。たとえば、右眼コンテンツは左眼に達しないようにされることが可能であり、左眼コンテンツは右眼に達しないようにされることが可能である。さらに、このようにしてバックライトを非アクティブにすると、ディスプレイの電力消費を低減することが可能であり（たとえば、ディスプレイのバックライトが常にアクティブにされている状況とは対照的に）、（たとえば、ディスプレイのバックライトが常にアクティブにされている場合と）同じ平均電力を維持しながらディスプレイの明るさを増加させることが可能であり、又は前述の電力消費の低減と明るさの増加とを組み合わせることが可能である。
【００３２】
[0036]さらに、図示されるように、立体メガネ（たとえば、立体メガネ１１１など）の右眼シャッタ及び左眼シャッタは別々に制御される。一実施形態では、これは立体メガネ信号２０８を利用して達成可能である。もちろん、別のオプションとして、右眼制御信号が右眼シャッタを制御するために使用されることが可能であり、左制御信号が左眼シャッタを制御するために使用されることが可能である。
【００３３】
[0037]具体的には、立体メガネの左眼シャッタは、少なくともバックライトが第１の左画像Ｌ１の表示に対してアクティブにされている継続時間の間は左眼シャッタが開位置にあるように制御されることが可能である。さらに、立体メガネの右眼シャッタは、少なくともバックライトが第１の左画像Ｌ１の表示に対してアクティブにされている継続時間の間は右眼シャッタが閉位置にあるように制御されることが可能である。同様に、立体メガネの左眼シャッタは、少なくともバックライトが第１の右画像Ｒ１の表示に対してアクティブにされている継続時間の間は左眼シャッタが閉位置にあるように制御されることが可能であり、立体メガネの右眼シャッタは、少なくともバックライトが第１の右画像Ｒ１の表示に対してアクティブにされている継続時間の間は右眼シャッタが開位置にあるように制御されることが可能である。
【００３４】
[0038]このために、左眼シャッタ及び右眼シャッタは、オプションとして、立体メガネ１１１の第１の状態と立体メガネ１１１の第２の状態との間でのみ制御されることが可能である。すなわち、第１の状態は、左眼シャッタが開位置にあり、右眼シャッタが閉位置にあることを含むことが可能であり、第２の状態は、左眼シャッタが閉位置にあり、右眼シャッタが開位置にあることを含むことが可能である。たとえば、第１の垂直帰線消去期間セット２０２の後のバックライトの非アクティブ化に際して、左眼シャッタ及び右眼シャッタの位置は、第２の垂直帰線消去期間セット２０４の後にバックライトがアクティブにされるまで第１の状態に保たれることが可能であり、この時点で、左眼シャッタ及び右眼シャッタの位置は第２の状態に切り替えられることが可能であり、以降も同様に繰り返される。
【００３５】
[0039]別の実施形態では、左眼シャッタ及び右眼シャッタは、左眼シャッタ及び右眼シャッタが同時に開位置にあり、一方、バックライトが非アクティブにされるように制御されることが可能である。たとえば、（たとえば、第１の垂直帰線消去期間セット２０２の後などで）バックライトの非アクティブ化に際して、左眼シャッタ及び右眼シャッタは、左眼シャッタ及び右眼シャッタが共に開位置にあるように制御されることが可能である。さらなる別の実施形態では、左眼シャッタ及び右眼シャッタは、左眼シャッタ及び右眼シャッタが同時に閉位置にあり、一方、バックライトが非アクティブにされるように制御されることが可能である。たとえば、（たとえば、第１の垂直帰線消去期間セット２０２の後などで）バックライトの非アクティブ化に際して、左眼シャッタ及び右眼シャッタは、左眼シャッタ及び右眼シャッタが共に閉位置にあるように制御されることが可能である。
【００３６】
[0040]さらなるオプションとして、左眼シャッタ及び右眼シャッタは、バックライトが第１の左画像Ｌ１の表示に対してアクティブにされるよりも長い時間の期間の間、左眼シャッタ及び右眼シャッタが前述の第１の状態に位置を定められるように制御されることが可能である。たとえば、左眼シャッタ及び右眼シャッタは、第１の左画像Ｌ１の表示に対するバックライトのアクティブ化の前に第１の状態に（たとえば、第２の状態から）位置を定められることが可能である。たとえば、時間帯２１０を参照されたい。これは、たとえば、左眼シャッタ／右眼シャッタが位置を変化させるように指示することと位置の実際の変化の完了との間に遅延がある場合（たとえば、位置の変化が遅い場合）に行われることがある。
【００３７】
[0041]別の例として、左眼シャッタ及び右眼シャッタは、第１の左画像Ｌ１の表示に対するバックライトの非アクティブ化の後、第１の状態の位置にとどまることが可能である（たとえば、第１の状態からの位置を同時に閉じた位置に変化させるときなどのいかなる遅延にも応じるように）。たとえば、時間帯２１２を参照されたい。上記と同様の理由で、左眼シャッタ及び右眼シャッタは、バックライトが第１の右画像Ｒ１の表示に対してアクティブにされるよりも長い時間の期間の間、左眼シャッタ及び右眼シャッタが前述の第２の状態に位置を定められるように制御されることが可能である。
【００３８】
[0042]このために、立体メガネ１１１が２つの状態間でのみ動作するようにさせる、又は遅延をもつ様々な他の状態間で移行するようにさせることとともに、立体表示コンテンツを見るのを確実に強化する（たとえば、表示されている左眼画像及び右眼画像の組み合わせをユーザが見ないようにすることによって）ことが可能であるように、バックライトは上述のように非アクティブにされることが可能である。したがって、この技法は立体メガネ１１１の機能性を簡単化することが可能である。
【００３９】
[0043]図３は、別の実施形態による、立体メガネを利用して見ることができる表示コンテンツを表示する間、ディスプレイ装置のバックライトを制御する方法３００を示す。オプションとして、本方法３００は、図１Ｂのコンピュータシステム１００及び／又は図２のタイミング２００のコンテキストで実施されることが可能である。しかしながら、もちろん、方法３００は、任意の所望の環境で実装されることが可能である。ここまでに行われた定義は、やはり、以下の説明において適用される。
【００４０】
[0044]操作３０２に示されるように、ディスプレイ上での画像の描画が開始される。本実施形態に関して、ディスプレイ上での画像の描画は、画像の関連する部分を表示するために表示の各走査ラインを更新することを含むことが可能である。したがって、走査ラインが上から下へとリフレッシュされるディスプレイでは、画像は、ディスプレイの上部走査線を描画することによってディスプレイに描画されるのを開始されることが可能である。
【００４１】
[0045]さらに本実施形態に関して、画像は、ユーザにより装着された立体メガネを介してユーザの特定の眼でのみ見ることを意図されるものである。たとえば、画像は左眼画像又は右眼画像を含むことが可能である。
【００４２】
[0046]次に、判定３０４に示されるように、画像が完全に描画されたかどうかが決定される。特に、画像の全体が表示されている状態にディスプレイがあるかどうかが決定される。一実施形態では、この状態は、ディスプレイの最終走査ラインが画像の関連部分を表示するように更新されるのに応じて検出されることが可能である。このために、この状態は、ユーザの他の眼で見ることを意図された別の画像の表示からユーザの特定の眼で見ることを意図された画像の表示へのディスプレイの移行完了を含むことが可能である。
【００４３】
[0047]画像が完全には描画されていないことが決定された場合、方法３００は、画像が完全に描画されたことが決定されるのを待機し続ける。画像が完全に描画されたことが決定された後、所定の遅延が許容される。操作３０６を参照されたい。たとえば、所定の遅延により、ディスプレイは、画像全体が表示されている状態に（たとえば、画像全体がディスプレイによって受け取られた状態から）入ることが可能になる。
【００４４】
[0048]さらに、操作３０８に示されるように、バックライトがアクティブにされる。特に、バックライトは非アクティブ位置からアクティブにされることが可能である。たとえば、バックライトは電源遮断位置から電源投入されることが可能である。バックライトがアクティブにされた後、ユーザは画像を（たとえば、ユーザにより装着された立体メガネを介して）見ることが可能となり得る。
【００４５】
[0049]さらにまた、判定３１０に示されるように、次の画像がディスプレイに描画され始めたかどうかが決定される。ディスプレイ上での次の画像の描画が開始されていないことが決定された場合、バックライトはアクティブにとどまる。しかしながら、ディスプレイ上での次の画像の描画が開始されたことが決定されたのに際して、所定の遅延が許容される。操作３１１を参照されたい。そのような所定の遅延は、表示のための次の画像を受信し、そのような次の画像の表示を実際に始めるときに表示の遅延を可能にする所定の長さの時間を含むことが可能である。
【００４６】
[0050]さらに、バックライトは非アクティブにされる。操作３１２を参照されたい。それに応じて、画像がディスプレイ上で上書きされ始めるまで、バックライトはアクティブにとどまることが可能である。たとえば、バックライトは、ユーザの特定の眼で見ることを意図された画像の表示からユーザの他の眼で見ることを意図された別の画像の表示までのディスプレイの移行の間、非アクティブにされることが可能である。具体的には、そのような移行を検出するのに応じてバックライトは非アクティブにされることが可能である。さらに、上記のように、バックライトは、移行の検出の後の所定の長さの時間を非アクティブにされることが可能である。そのような非アクティブ化により、画像と表示される次の画像との組み合わせをユーザがディスプレイ上で見ないようにすることが可能である（たとえば、次の画像が既に表示さている画像に上書きし始めた場合）。
【００４７】
[0051]図４は、別の実施形態による、表示コンテンツを表示する間、立体メガネを制御する方法４００を示す。オプションとして、本方法４００は、図１Ｂのコンピュータシステム１００及び／又は図２のタイミング２００のコンテキストで実施されることが可能である。しかしながら、もちろん、方法４００は、任意の所望の環境で実装されることが可能である。ここまでに行われた定義は、やはり、以下の説明において適用される。
【００４８】
[0052]操作４０２に示されるように、ディスプレイ上での左画像の描画が開始される。本実施形態に関して、ディスプレイ上での左画像の描画は、左画像の関連する部分を表示するために表示の各走査ラインを更新することを含むことが可能である。さらに、本実施形態に関して、左画像は、ユーザにより装着された立体メガネを介してユーザの左眼でのみ見ることを意図されるものである。
【００４９】
[0053]次に、操作４０４に示されるように、所定の遅延が経過させられる。所定の遅延は、事前設定されている任意の長さの時間を含むことが可能である。このようにして、そのような事前設定された長さの時間が経過させられることが可能である（たとえば、そのような時間の間、立体メガネを必ずしも制御することなしに）。
【００５０】
[0054]所定の遅延が経過した後、立体メガネの左眼シャッタが開かれ、立体メガネの右眼シャッタが閉じられる。操作４０６を参照されたい。したがって、立体メガネは、左画像がユーザの左眼で単に見られるように制御されることが可能である。シャッタを開く／閉じるには時間がかかる場合がある（たとえば、必ずしも瞬時ではない場合がある）ので、左画像がディスプレイに描画されている間、立体メガネは立体メガネの左眼シャッタを開き、立体メガネの右眼シャッタを閉じるように制御されることが可能である。左画像の全体が表示される前に立体メガネの左眼シャッタが開かれる（たとえば、左画像が右画像に依然として上書きしている）状況を補償するために、バックライトは、左画像が完全に描画されるまで非アクティブ状態にあることが可能である（図３に関して上述したように）。したがって、立体メガネには、立体メガネの左眼シャッタが開かれ、立体メガネの右眼シャッタが閉じられる状態に切り替えるためにバックライトがオフである十分な時間を与えることができる。
【００５１】
[0055]その後、判定４０８に示されるように、ディスプレイ上での右画像の描画が開始されたかどうかが決定される。たとえば、左画像が右画像によって上書きされ始めたかどうかが決定されることが可能である。ディスプレイ上での右画像の描画が開始されていないことが決定された場合、方法４００は、そのような右画像がディスプレイに描画され始めるのを待機し続ける。
【００５２】
[0056]しかしながら、ディスプレイ上での右画像の描画が開始されたことが決定されたのに際して、所定の遅延が経過させられる。操作４１０を参照されたい。同様に上記したように、所定の遅延によって与えられる事前設定された長さの時間が経過させられることが可能である（たとえば、そのような時間の間、立体メガネを必ずしも制御することなしに）。
【００５３】
[0057]所定の遅延の後、立体メガネの右眼シャッタが開かれ、立体メガネの左眼シャッタが閉じられる。操作４１２を参照されたい。したがって、立体メガネは、右画像がユーザの右眼で単に見られるように制御されることが可能である。やはり、シャッタを開く／閉じるには時間がかかる場合がある（たとえば、必ずしも瞬時ではない場合がある）ので、右画像がディスプレイに描画されている間、立体メガネは立体メガネの右眼シャッタを開き、立体メガネの左眼シャッタを閉じるように制御されることが可能である。右画像の全体が表示される前に立体メガネの右眼シャッタが開かれる（たとえば、右画像が左画像に依然として上書きしている）状況を補償するために、バックライトは、右画像が完全に描画されるまで非アクティブ状態にあることが可能である（図３に関して上述したように）。したがって、立体メガネには、立体メガネの右眼シャッタが開かれ、立体メガネの左眼シャッタが閉じられる状態に切り替えるためにバックライトがオフである十分な時間を与えることができる。
【００５４】
[0058]ここまで様々な実施形態を説明してきたが、これらは、限定ではなく例としてのみ提示されたことを理解されたい。したがって、好ましい実施形態の幅及び範囲は、上述の例示的な実施形態のいずれによっても限定されるものではなく、添付の特許請求の範囲及びその均等物によってのみ定義されるべきものである。
【符号の説明】
【００５５】
１０  ケーブル
２０  左眼シャッタ制御
３０  右眼シャッタ制御
１００  コンピュータシステム
１０１  ホストプロセッサ
１０２  通信バス
１０４  メインメモリ
１０６  グラフィックスプロセッサ
１０８  ディスプレイ
１１０  二次ストレージ
１１１  立体メガネ
１１３  左眼シャッタ
１１４  右眼シャッタ
１１８  ケーブル
１１９  立体制御装置
２００  タイミング
２０１  通信媒体
２０２  第１の垂直帰線消去期間セット
２０４  第２の垂直帰線消去期間セット
２０６  バックライト制御信号
２０８  立体メガネ信号
２０９、２１０、２１２  時間帯
３００  方法
３０２  、３０６、３０８、３１１、３１２  操作
３０４、３１０  判定
４００  方法
４０２、４０４、４０６、４１０、４１２  操作
４０８  判定
【図１Ａ】
0005744661.tif 000002
【図１Ｂ】
0005744661.tif 000003
【図２】
0005744661.tif 000004
【図３】
0005744661.tif 000005
【図４】
0005744661.tif 000006